(57)【要約】      （修正有）【課題】折り畳みベンチ椅子の提供。【解決手段】シート板１の下に左側フレーム２と右側フレーム２’が対称に設けられ、左側フレームと右側フレームがいずれも第１足フレーム４と第２足フレーム４’を具え、該第１足フレームと第２足フレームの間に連接棒５があり、該連接棒の二端が第１足フレームと第２足フレームに接続されている。一対の枢設座６は該シート板の底部二側に螺子止めされ、この一対の枢設座が左側フレームと右側フレームの枢設に用いられて左側フレームと右側フレームをシート板に当接するように折り畳み可能としている。ハンドル７は枢設座に枢設され、並びにシート板に当接するよう折り畳み可能とされている。該係止座は、該連接棒に設置されてハンドルの固定に供される。【選択図】図１
0003101768.tif 000002
【実用新案登録請求の範囲】
【請求項１】
シート板（１）の下に左側フレーム（２）と右側フレーム（２’）が対称に設けられ、左側フレーム（２）と右側フレーム（２’）がいずれも第１足フレーム（４）と第２足フレーム（４’）を具え、該第１足フレーム（４）と第２足フレーム（４’）の間に連接棒（５）があり、該連接棒（５）の二端が第１足フレーム（４）と第２足フレーム（４’）に接続され、一対の枢設座（６）が該シート板（１）の底部二側に螺子止めされ、この一対の枢設座（６）が左側フレーム（２）と右側フレーム（２’）の枢設に用いられて左側フレーム（２）と右側フレーム（２’）をシート板（１）に当接するように折り畳み可能とし、ハンドル（７）が枢設座（６）に枢設され、並びにシート板（１）に当接するよう折り畳み可能とされ、ハンドル（７）の固定に供される係止座（８）が該連接棒（５）に設置されたことを特徴とする、折り畳みベンチ椅子。
【請求項２】
請求項１記載の折り畳みベンチ椅子において、係止座（８）がフック状の部品とされたことを特徴とする、折り畳みベンチ椅子。
【請求項３】
請求項１記載の折り畳みベンチ椅子において、ハンドル（７）が左側フレーム（２）と右側フレーム（２’）を展開時に固定位置に維持し、左側フレーム（２）と右側フレーム（２’）が折り畳まれた時に携帯用ハンドルとされることを特徴とする、折り畳みベンチ椅子。
【考案の詳細な説明】
【技術分野】
【０００１】
本考案は一種の折り畳みベンチ椅子に係り、ベンチ椅子を折り畳んで最小体積とすることができ、外出時の携帯に便利で、展開使用時の安定性が高い折り畳みベンチ椅子に関する。
【背景技術】
【０００２】
ベンチ椅子は多くの場合、臨時性或いは不定の場所で使用され、その多くは木製とされ固定された構造とされ、ゆえに足を折り畳むことができず、収納に不便で場所をとり、集中的に整理して放置するのが難しい。また、折り畳み不能であるため、ベンチ椅子が臨時性或いは不定の場所で使用される時の運搬に不便である。
【考案の開示】
【考案が解決しようとする課題】
【０００３】
本考案は折り畳みベンチ椅子を提供し、それは、側フレームを枢設座を利用して折り畳みできるようにし、収納或いは運搬のいずれにも便利で場所をとらず、且つハンドルを設けて折り畳みベンチ椅子の展開時に側フレームを固定してぐらつきを防止するようにしたものとする。
【０００４】
すなわち、本考案の主要な目的は、一種の折り畳みベンチ椅子を提供することにあり、それは、枢設座を利用し、側フレームをシート板に当接するように折り畳むことができるようにし、且つハンドルと係止座を利用し、ベンチ椅子を展開後に、該ハンドルを係止座に係止することで側フレームが重力を受ける時のぐらつきを防止できるようにしたものとする。
【課題を解決するための手段】
【０００５】
請求項１の考案は、シート板（１）の下に左側フレーム（２）と右側フレーム（２’）が対称に設けられ、左側フレーム（２）と右側フレーム（２’）がいずれも第１足フレーム（４）と第２足フレーム（４’）を具え、該第１足フレーム（４）と第２足フレーム（４’）の間に連接棒（５）があり、該連接棒（５）の二端が第１足フレーム（４）と第２足フレーム（４’）に接続され、一対の枢設座（６）が該シート板（１）の底部二側に螺子止めされ、この一対の枢設座（６）が左側フレーム（２）と右側フレーム（２’）の枢設に用いられて左側フレーム（２）と右側フレーム（２’）をシート板（１）に当接するように折り畳み可能とし、ハンドル（７）が枢設座（６）に枢設され、並びにシート板（１）に当接するよう折り畳み可能とされ、ハンドル（７）の固定に供される係止座（８）が該連接棒（５）に設置されたことを特徴とする、折り畳みベンチ椅子としている。
請求項２の考案は、請求項１記載の折り畳みベンチ椅子において、係止座（８）がフック状の部品とされたことを特徴とする、折り畳みベンチ椅子としている。
請求項３の考案は、請求項１記載の折り畳みベンチ椅子において、ハンドル（７）が左側フレーム（２）と右側フレーム（２’）を展開時に固定位置に維持し、左側フレーム（２）と右側フレーム（２’）が折り畳まれた時に携帯用ハンドルとされることを特徴とする、折り畳みベンチ椅子としている。
【考案の効果】
【０００６】
本考案の折り畳みベンチ椅子は、左側フレームと右側フレームを枢設座を利用して折り畳みでき、収納或いは運搬のいずれにも便利で場所をとらず、且つハンドルが折り畳みベンチ椅子の展開時に左側フレームと右側フレームを固定してぐらつきを防止している。
【考案を実施するための最良の形態】
【０００７】
本考案の折り畳みベンチ椅子は、シート板、一対の枢設座、ハンドル、係止座を具え、ている。該シート板の下に左側フレームと右側フレームが対称に設けられ、左側フレームと右側フレームがいずれも第１足フレームと第２足フレームを具え、該第１足フレームと第２足フレームの間に連接棒があり、該連接棒の二端が第１足フレームと第２足フレームに接続されている。該一対の枢設座は該シート板の底部二側に螺子止めされ、この一対の枢設座が左側フレームと右側フレームの枢設に用いられて左側フレームと右側フレームをシート板に当接するように折り畳み可能としている。該ハンドルは枢設座に枢設され、並びにシート板に当接するよう折り畳み可能とされている。該係止座は、該連接棒に設置されてハンドルの固定に供される。
【０００８】
該左側フレームと右側フレームの第１足フレームと第２足フレームが枢設座に枢設され、使用時に、左側フレームと右側フレームがそれぞれ展開されてシート板に対して垂直とされ、並びにハンドルの二側が係止座に係合されて、左側フレームと右側フレームの位置が固定され、折り畳む時は、ハンドルと係止座の係止が解除され並びにシート板に当接させられ、さらに左側フレームと右側フレームがシート板に当接するよう折り畳まれて折り畳みが完成し、且つハンドルが折り畳み完成後に携帯用に供される。
【実施例１】
【０００９】
図１の本考案の斜視図を参照されたい。本考案の折り畳みベンチ椅子はハンドル（７）を利用して左側フレーム（２）と右側フレーム（２’）を保持し、折り畳みベンチ椅子の展開後の左側フレームと右側フレームに固定された関係を維持させ、本考案の折り畳みベンチ椅子が重力を受ける時の安定性を高めている。
【００１０】
図２は本考案の展開状態の底面斜視図である。それは、シート板（１）と、一対の枢設座（６）、係止座（８）を具えている。該シート板（１）は使用者が座るのに供され、その下に対称に左側フレーム（２）と右側フレーム（２’）が設けられている。左側フレーム（２）と右側フレーム（２’）はいずれも対称な第１足フレーム（４）と第２足フレーム（４’）を具えている。該第１足フレーム（４）と第２足フレーム（４’）の間に連接棒（５）があり、該連接棒（５）の二端が第１足フレーム（４）と第２足フレーム（４’）に接続され、該連接棒（５）により第１足フレーム（４）と第２足フレーム（４’）が結合されている。該シート板（１）の二側に上記一対の枢設座（６）が螺子止めされて、左側フレーム（２）と右側フレーム（２’）の枢設に供される。この一対の枢設座（６）は挟持板（１０）を利用して第１足フレーム（４）と第２足フレーム（４’）を挟持し、さらに該挟持板（１０）に挿通された軸（９）により、第１足フレーム（４）と第２足フレーム（４’）が枢設座（６）に枢設され、左側フレーム（２）と右側フレーム（２’）がこれによりシート板（１）に当接するよう折り畳み可能とされる。ハンドル（７）の二端は該枢設座（６）に枢設され、枢設座（６）の側板（１１）に挿通された軸（９’）により、ハンドル（７）の二端が枢設座（６）に枢設されてシート板（１）に当接するよう折り畳み可能とされる。該係止座（８）は、係止溝（３）を具え並びに該連接棒（５）に螺子止めされ、ハンドル（７）の二側が係止座（８）の係止溝（３）に係止されることで、ハンドル（７）が係止されて左側フレーム（２）と右側フレーム（２’）の展開時の固定装置とされる。
【００１１】
図３の本考案の折り畳み時の底面斜視図に示されるように、折り畳みベンチ椅子は折り畳んだ後に扁平体となり、携帯に便利となる。左側フレーム（２）と右側フレーム（２’）はシート板（１）に当接し、ハンドル（７）が携帯用のハンドルとして使用され、且つ係止座（８）の係止溝（３）がハンドル（７）の二側を係止し、これにより折り畳みベンチ椅子の左側フレーム（２）と右側フレーム（２’）が固定位置に維持されてぐらつきが防止され、且つ支持と重量に耐える能力を具備し、従来のベンチ椅子の収納、運送時に場所をとる欠点を解決し、臨時の会場或いは公共場所での使用に適用される。
【００１２】
図４、５、６には本考案の実施動作が示される。まず、ハンドル（７）をシート板（１）に向けて折り畳み、ハンドル（７）を係止座（８）の係止溝（３）より離脱させ、並びにハンドル（７）を完全にシート板（１）に当接させる。左側フレーム（２）と右側フレーム（２’）を枢設座（６）の挟持板（１０）との枢設部分より、シート板（１）の方向に向けて折り畳み、折り畳みベンチ椅子の折り畳みを完成する。
【００１３】
以上は本考案の好ましい実施例の説明であり、本考案の実施範囲を限定するものではなく、本考案に基づきなしうる細部の修飾或いは改変は、いずれも本考案の請求範囲に属するものとする。
【図面の簡単な説明】
【００１４】
【図１】本考案の斜視図である。
【図２】本考案の展開状態の底面斜視図である。
【図３】本考案の折り畳み時の底面斜視図である。
【図４】本考案の実施動作図である。
【図５】本考案の実施動作図である。
【図６】本考案の実施動作図である。
【符号の説明】
【００１５】
（１）シート板
（２）左側フレーム
（２’）右側フレーム
（３）係止溝
（４）第１足フレーム
（４’）第２足フレーム
（５）連接棒
（６）枢設座
（７）ハンドル
（８）係止座
（９）軸
（９’）軸
（１０）挟持板
（１１）側板
【図１】
0003101768.tif 000003
【図２】
0003101768.tif 000004
【図３】
0003101768.tif 000005
【図４】
0003101768.tif 000006
【図５】
0003101768.tif 000007
【図６】
0003101768.tif 000008